(57)【要約】【課題】　簡易な構成により装着されたバッテリーパックの仕様を判定し、残量電力量を検出して、該残量電力量を表示可能とする。【解決手段】　バッテリーパック１０の第一の端子１と第二の端子２との間の電圧値を検出し、上記バッテリーパック１０の上記第一の端子１に接続された抵抗３の抵抗値に対応して出力される出力信号に基づいて該バッテリーパック１０の仕様を判定し、上記判定されたバッテリーパック１０の仕様と上記検出された電圧値とに基づいて、該バッテリーパックの残量電力量を判定し、上記仕様の判定結果と上記残量電力量の判定結果に対応したキャラクタ信号を発生させ、上記キャラクタ信号を画像信号に混合させて表示させる。【選択図】　　　　図１
2004045414.tif 000002
【特許請求の範囲】
【請求項１】
　バッテリーの一端の電極に第一の端子を接続し、上記バッテリーの他の一端の電極に第二の端子を接続し、上記第一の端子に上記バッテリーの仕様毎に抵抗値が異なる抵抗の一端を接続し、上記抵抗の他の一端に第三の端子が接続されるバッテリーパックに電気的に接続するステップと、
　上記バッテリーパックの第一の端子と第二の端子との間の電圧値を検出するステップと、
　上記バッテリーパックの第一の端子に接続された抵抗の抵抗値に対応して出力される出力信号に基づいて上記バッテリーパックの仕様を判定するステップと、
　上記検出された電圧値と上記判定されたバッテリーパックの仕様とに基づいて、該バッテリーパックの残量電力量を判定するステップと、
　上記仕様の判定結果と上記残量電力量の判定結果に対応したキャラクタ信号を発生させるステップと、
　上記キャラクタ信号を画像信号に混合させて表示させるステップとからなることを特徴とするバッテリー仕様・残量表示方法。
【請求項２】
　バッテリーの一端の電極に第一の端子が接続され、上記バッテリーの他の一端の電極に第二の端子が接続され、上記第一の端子に上記バッテリーの仕様毎に抵抗値が異なる抵抗の一端が接続され、上記抵抗の他の一端に第三の端子が接続されるバッテリーパックが電気的に接続するステップと、
　上記バッテリーパックの第一の端子と第二の端子との間の電圧値を検出するステップと、
　上記バッテリーパックの第一の端子に接続された抵抗の抵抗値に対応して出力される出力信号に基づいて上記バッテリーパックの仕様を判定するステップと、
　上記検出された電圧値と上記判定されたバッテリーパックの仕様とに基づいて、該バッテリーパックの残量電力量を判定するステップと、
　上記仕様の判定結果と上記残量電力量の判定結果に対応したキャラクタ信号を発生させるステップと、
　上記仕様の判定結果と上記残量電力量の判定結果に対応したキャラクタ信号を発生させるステップと、
　上記キャラクタ信号を画像信号に混合させて上記カムコーダのＶＦに上記仕様と残量電力量を表示するステップと、
　上記残量電力量の判定結果に基づいた残量電力量をＬＣＤに表示するステップと、
　上記ＬＣＤ表示のためのコントロール手段を上記仕様の判定結果に対応したコントロール手段に切換えるステップと
　を備えることを特徴とするバッテリー仕様・残量表示方法。
【発明の詳細な説明】
【技術分野】
【０００１】
　本発明は、バッテリーパックを電源として動作するカムコーダ等におけるバッテリー仕様・残量表示方法に関し、特に装着された該バッテリーパックの仕様を検出し、バッテリーパックの残量電力量を検出して、この検出結果に基づいて表示を行うバッテリー仕様・残量表示方法に関する。
【背景技術】
【０００２】
　現在、カムコーダの電源用として、カムコーダの電源電圧値の仕様に合わせて、ニッカド電池をバッテリーとして構成したバッテリーパックが、一般的に用いられている。
【０００３】
　上記ニッカド電池は、残量電力量が少なくなると、電力の消費に伴い両電極間の電圧値が、所定電圧値から急激に減少するような放電特性を示す。
【０００４】
　このため、カムコーダでは、バッテリーパックの両電極間の電圧値が所定値以上か否かを検出することにより、バッテリーパックの残量電力量の多少の判定を行い、この判定結果に基づいて、サイドパネルのＬＣＤの表示される部分を変化させることで、残量電力量を表示している。
【０００５】
　また、バッテリーパックの残量電力量の検出方法として、バッテリーパックの規格電力量とバッテリーパックによる積算消費電力量との比較を行う方法も知られている。
【特許文献１】特開平５−２９７０８２号公報
【発明の開示】
【発明が解決しようとする課題】
【０００６】
　ところで、近年、リチウム電池の普及に伴い、カムコーダの電源としてバッテリーパックには、ニッカド電池に限らず、リチウム電池が一般的に用いられつつある。
【０００７】
　上記リチウム電池は、電力の消費に伴い両電極間の電圧値が、所定電圧値から緩やかに減少するような放電特性を示す。
【０００８】
　このため、上記リチウム電池の両電極間の電圧値をカムコーダで検出することにより、リチウム電池をバッテリーとして構成したバッテリーパックの残量電力量の検出が可能である。
【０００９】
　このように、カムコーダによるリチウム電池をバッテリーとして構成したバッテリーパックの残量電力量の判定法は、従来のニッカド電池をバッテリーとして構成したバッテリーパックの残量電力量の判定法と異なるため、従来の残量電力の検出法では、リチウム電池をバッテリーとして構成したバッテリーパックの残量電力量を正確に検出することが不可能であるという問題点が生じていた。
【００１０】
　また、リチウム電池をバッテリーとして構成したバッテリーパックの残量電力量の検出を、上記積算消費電力の検出による場合には、リチウム電池の規格電力量がニッカド電池の規格電力量と異なるため、各電池毎の規格電力量を判定後、残量電力量を検出させる必要が有る。また、出力電圧、及び出力電流の変化を検出し、その電圧と電流と使用時間とを積算する構成にする必要が有り、構成が複雑となり、残量電力量の検出のために、カムコーダが高価になるという問題点を生じていた。
【００１１】
　このような問題点に鑑み、本発明においては、簡易な構成により装着されたバッテリーパックの仕様を判定し、残量電力量を検出して、該残量電力量を表示可能なバッテリー仕様・残量表示方法を提供することを目的とする。
【課題を解決するための手段】
【００１２】
　本発明に係るバッテリー仕様・残量表示方法は、バッテリーの一端の電極に第一の端子を接続し、上記バッテリーの他の一端の電極に第二の端子を接続し、上記第一の端子に上記バッテリーの仕様毎に抵抗値が異なる抵抗の一端を接続し、上記抵抗の他の一端に第三の端子が接続されるバッテリーパックに電気的に接続するステップと、上記バッテリーパックの第一の端子と第二の端子との間の電圧値を検出するステップと、上記バッテリーパックの第一の端子に接続された抵抗の抵抗値に対応して出力される出力信号に基づいて上記バッテリーパックの仕様を判定するステップと、上記検出された電圧値と上記判定されたバッテリーパックの仕様とに基づいて、該バッテリーパックの残量電力量を判定するステップと、上記仕様の判定結果と上記残量電力量の判定結果に対応したキャラクタ信号を発生させるステップと、上記キャラクタ信号を画像信号に混合させて表示させるステップとからなることを特徴とする。
【００１３】
　また、本発明に係るバッテリー仕様・残量表示方法は、バッテリーの一端の電極に第一の端子が接続され、上記バッテリーの他の一端の電極に第二の端子が接続され、上記第一の端子に上記バッテリーの仕様毎に抵抗値が異なる抵抗の一端が接続され、上記抵抗の他の一端に第三の端子が接続されるバッテリーパックが電気的に接続するステップと、上記バッテリーパックの第一の端子と第二の端子との間の電圧値を検出するステップと、上記バッテリーパックの第一の端子に接続された抵抗の抵抗値に対応して出力される出力信号に基づいて上記バッテリーパックの仕様を判定するステップと、上記検出された電圧値と上記判定されたバッテリーパックの仕様とに基づいて、該バッテリーパックの残量電力量を判定するステップと、上記仕様の判定結果と上記残量電力量の判定結果に対応したキャラクタ信号を発生させるステップと、上記仕様の判定結果と上記残量電力量の判定結果に対応したキャラクタ信号を発生させるステップと、上記キャラクタ信号を画像信号に混合させて上記カムコーダのＶＦに上記仕様と残量電力量を表示するステップと、上記残量電力量の判定結果に基づいた残量電力量をＬＣＤに表示するステップと、上記ＬＣＤ表示のためのコントロール手段を上記仕様の判定結果に対応したコントロール手段に切換えるステップとを備えることを特徴とする。
【発明の効果】
【００１４】
　本発明によれば、バッテリーパックの第一の端子と第二の端子との間の電圧値を検出し、上記バッテリーパックの上記第一の端子に接続された抵抗の抵抗値に対応して出力される出力信号に基づいて該バッテリーパックの仕様を判定し、上記判定されたバッテリーパックの仕様と上記検出された電圧値とに基づいて、該バッテリーパックの残量電力量を判定し、上記仕様の判定結果と上記残量電力量の判定結果に対応したキャラクタ信号を発生させ、上記キャラクタ信号を画像信号に混合させて表示させることできる。さらに、上記キャラクタ信号を画像信号に混合させて上記カムコーダのＶＦに上記仕様と残量電力量を表示し、上記残量電力量の判定結果に基づいた残量電力量をＬＣＤに表示させるとともに、上記ＬＣＤ表示のためのコントロール手段を上記仕様の判定結果に対応したコントロール手段に切換えることができる。
【００１５】
　すなわち、本発明によれば、簡易な構成によりバッテリーパックの仕様、及び残量電力量を容易に判定して、この判定結果に基づいて残量電力量を表示することができる。
【発明を実施するための最良の形態】
【００１６】
　以下、本発明の実施の形態について、図面を参照して詳細に説明する。
【００１７】
　本発明は、例えば図１に示すような構成のカムコーダ２０に適用される。
【００１８】
　このカムコーダ２０に装着されるバッテリーパック１０は、図１に示すように、カムコーダの電源電圧の仕様に合わせて構成されるバッテリー１５の（−）電極に接続される第一の端子１と、上記バッテリー１５の（＋）電極に接続される第二の端子２と、上記第一の端子１に一端が接続されて、上記バッテリーパック１０の仕様毎に抵抗値ＲIDが異なる抵抗３と、上記抵抗３の他の一端に接続される第三の端子４とを備える。
【００１９】
　上記抵抗３の抵抗値ＲIDは、表１に示すように、バッテリー１５で構成されるバッテリーパック１０の仕様毎に異なる。このバッテリーパック１０の仕様毎に設定される抵抗３の抵抗値ＲIDは、後述するカムコーダ２０のＩＤ検出手段により検出される電圧ＶIDにより識別される。
【００２０】
【表１】
2004045414.tif 000003
【００２１】
　このカムコーダ２０は、図２に示すように、バッテリーパック１０の電源電圧により形成される基準電位ＶREFに一端が接続された抵抗ＲOと、この抵抗ＲOの他の一端に接続されたバッテリーパック１０の第三の端子４が接続され、バッテリーパック１０の第一の端子１が基準電位として接続され、バッテリーパック１０の第二の端子２を電源電圧として接続されるマイクロコンピュータ２１と、このマイクロコンピュータ２１からの出力信号に応じて、キャラクタ信号を生成するキャラクタジェネレータ回路２２と、このキャラクタ信号、及びモニタに画像表示するための画像信号を生成する画像信号生成回路３１から供給される画像信号を混合して、ＶＦ３２に表示させるＶＦ表示信号を形成するミックス回路２３と、バッテリーパック１０のバッテリー１５がリチウム電池である際に、ＬＣＤ３３を表示駆動するためのリチウム用ＣＴＬ回路２４と、バッテリー１５がニッカド電池である際に、ＬＣＤ３３を表示駆動するためのニッカド用ＣＴＬ回路２５と、バッテリーパック１０を電源として用い、撮像により生成される撮像信号及び音声信号を記録再生するための信号処理を行うための信号処理回路２６とを備える。
【００２２】
　上記マイクロコンピュータ２１は、上記バッテリーパック１０の第一の端子１を接地電位として、基準電圧ＶREFに一端が接続される抵抗ＲOの他の一端が接続されて、該バッテリーパック１０の抵抗３の抵抗値ＲIDに基づく出力信号を検出するＩＤ検出手段を構成する。
【００２３】
　このＩＤ検出手段では、基準電圧ＶREFの抵抗ＲOとバッテリーパック１０の抵抗３との分圧値である電圧ＶIDが（１）式として検出される。
【００２４】
　ＶID＝ＶREF・ＲID／（ＲO＋ＲID） （１）式
例えば基準電圧ＶREF＝５Ｖ、及び抵抗ＲO＝１０ｋΩとした場合、表１に示すように、抵抗３の抵抗値ＲID毎に異なる電圧ＶIDが検出される。このため、電圧ＶIDの検出により、バッテリーパック１０の仕様が判定可能である。
【００２５】
　上記マイクロコンピュータ２１は、上記バッテリーパック１０の第一の端子１を接地電位として、該バッテリーパック１０の第二の端子２の電圧値の検出により該バッテリーパック１０の両電極間電圧を検出する電圧値検出手段を構成する。
【００２６】
　上記マイクロコンピュータ２１は、上記ＩＤ検出手段により検出された電圧ＶIDに基づいて、バッテリーパック１０に仕様を判定して、上記電圧値検出手段により検出されたバッテリーパック１０の両電極間の電圧値から該バッテリーパック１０の残量電力量を検出する残量判定手段を構成する。
【００２７】
　上記マイクロコンピュータ２１は、ミックス回路２３にキャラクタ信号を供給するキャラクタジェネレータ回路２２と、ＬＣＤ３３を表示駆動するためのリチウム用ＣＴＬ回路２４、及びニッカド用ＣＴＬ回路２５とが接続されて表示切換え手段を構成する。
【００２８】
　上記表示切換え手段のマイクロコンピュータ２１は、上記残量判定手段でバッテリーパック１０のバッテリー１５がリチウム電池で構成されていると判定された際に、キャラクタジェネレータ回路２２からリチウム電池であることを表示させるキャラクタ信号を生成させて、ミックス回路２３に送出させて、該残量判定手段で検出した残量電力量をＬＣＤ３３に表示させるためにリチウム用ＣＴＬ回路２４を駆動させる。また、残量判定手段でバッテリーパック１０のバッテリー１５がニッカド電池で構成されていると判定された際に、該残量判定手段で検出した残量電力量をＬＣＤ３３に表示させるためにニッカド用ＣＴＬ回路２５を駆動させて残量判定手段の判定結果に応じて表示を切り換えるように構成される。
【００２９】
　従って、カムコーダ２０は、上記バッテリーパック１０の抵抗３の抵抗値に基づく出力信号を検出するＩＤ検出手段と、上記バッテリーパック１０の第一の端子１と第二の端子２との間の電圧値を検出する電圧値検出手段と、上記ＩＤ検出手段で検出された出力信号に基づいて上記バッテリーパック１０の仕様を判定し、この判定されたバッテリーパック１０の仕様と上記電圧値検出手段で検出された電圧とに基づいて、上記バッテリーパック１０の残量電力量を判定する残量判定手段と、上記残量判定手段の判定結果に応じて、表示を切り替える表示切換え手段とを備える。
【００３０】
　次に、図３を用いて、上記構成によるバッテリーパック１０が装着されたカムコーダ２０の動作の説明を行う。
【００３１】
　ステップＳ１では、バッテリーパック１０をカムコーダ２０に装着する。
【００３２】
　ステップＳ２では、カムコーダ２０のＩＤ検出手段で電圧ＶIDを検出して、バッテリーパック１０の仕様を判定する。このバッテリーパック１０を構成するバッテリー１５がリチウム電池と判定された際に、ステップＳ３、及びステップＳ７に進み、該バッテリーパック１０を構成するバッテリー１５がニッカド電池と判定された際に、カムコーダ２０の電圧検出手段でバッテリーパック１０の両電極間の電圧値を検出して、この検出された電圧値が、バッテリー１５の仕様毎に異なる所定電圧値以上か否かを判定して、ステップＳ９に進む。
【００３３】
　ステップＳ３では、カムコーダ２０の残量判定手段で、電圧値検出手段により検出されるバッテリーパック１０の両電極間の電圧値に基づいて、バッテリーパック１０の残量電力量を検出する。
【００３４】
　ステップＳ４では、上記残量判定手段で検出された残量電力量に基づいて、キャラクタジェネレータ回路２２からキャラクタ信号をミックス回路２３に送出させる。
【００３５】
　ステップＳ５では、ミックス回路２３にキャラクタジェネレータ回路２２から供給されたキャラクタ信号を、画像信号生成回路３１から供給される画像信号に混合して、ＶＦ表示用信号に変換してＶＦ３２に供給する。
【００３６】
　ステップＳ６では、ミックス回路２３から供給されたＶＦ表示信号に基づいてＶＦ３２に残量電力量の表示を行なわせる。
【００３７】
　ステップＳ７では、上記残量判定手段で検出された残量電力量に基づいて、表示切換え手段によりリチウム用ＣＴＬ２４を作動させる。
【００３８】
　ステップＳ８では、リチウム用ＣＴＬ２４の作動により、ＬＣＤ３３を駆動して残量電力量を表示させる。
【００３９】
　ステップＳ９では、上記残量判定手段の判定結果に基づいて、表示切換え手段により、ニッカド用ＣＴＬ２５を作動させる。
【００４０】
　ステップＳ１０では、ニッカド用ＣＴＬ２５の作動により、ＬＣＤ３３を駆動して残量電力量を表示させる。
【００４１】
　以上のように、このカムコーダ２０では、簡易な構成によりバッテリーパック１０の仕様、及び残量電力量を容易に判定して、この判定結果に基づいて、残量電力量を表示可能である。
【図面の簡単な説明】
【００４２】
【図１】本発明に係るバッテリーパックが装着されたカムコーダの概略構成図である。
【図２】上記カムコーダの要部の構成図である。
【図３】上記カムコーダの動作を示すフローチャートである。
【符号の説明】
【００４３】
　１ 第一の端子、２ 第二の端子、３ 抵抗、４ 第三の端子、２１ マイクロコンピュータ、２２　キャラクタジェネレータ回路、２３ ミックス回路、２４ リチウム用ＣＴＬ、２５ ニッカド用ＣＴＬ
【図１】
2004045414.tif 000004
【図２】
2004045414.tif 000005
【図３】
2004045414.tif 000006